(57)【要約】    【課題】  運転者が容易に手の届く位置にある車両用のサンバイザー本体の表面や裏面に様々な形状の小物を安定して保持することができ、利便性が向上するとともに、さらには、保持部材を、様々な形状のサンバイザー本体に容易に対応させて取り付けることができる車両用サンバイザーを提供すること。    【解決手段】  伸縮自在の弾性保持帯を幅方向に多列状に配設した保持部材を、車両用のサンバイザー本体に取り付け、前記サンバイザー本体の表面及び／又は裏面と前記弾性保持帯とで挟持部を構成した。【選択図】      図１
2006123859.tif 000002
【特許請求の範囲】
【請求項１】
伸縮自在の弾性保持帯を幅方向に多列状に配設した保持部材と、この保持部材を取付可能とした被取付部材とを備え、
この被取付部材の面状部と前記弾性保持帯とで挟持部を構成したことを特徴とする小物保持具。
【請求項２】
伸縮自在の弾性保持帯を幅方向に多列状に配設した保持部材を、車両内に配設された面状部を有する被取付部材に取付け、前記面状部と前記弾性保持帯とで挟持部を構成したことを特徴とする車両用小物保持具。
【請求項３】
伸縮自在の弾性保持帯を幅方向に多列状に配設した保持部材を、車両用のサンバイザー本体に取付け、前記サンバイザー本体の表面及び／又は裏面と前記弾性保持帯とで挟持部を構成したことを特徴とする車両用サンバイザー。
【請求項４】
前記保持部材は、前記弾性保持帯を略環状に形成し、各保持帯同士を互いに一体的に連結したことを特徴とする請求項３記載の車両用サンバイザー。
【請求項５】
前記サンバイザー本体の端部近傍面にミラー取付領域を設け、このミラー取付領域を除く他領域に前記保持部材を取り付けたことを特徴とする請求項３又は４に記載の車両用サンバイザー。
【発明の詳細な説明】
【技術分野】
【０００１】
本発明は、小物保持具、車両用小物保持具、及び小物保持機能を有する車両用サンバイザーに関するものである。
【背景技術】
【０００２】
従来、小物を保持する保持具として、小物を収容するポケット構造や、あるいは被保持物が紙などの薄物であれば、クリップなどを利用したものが知られている。
【０００３】
また、自動車などの車両内においても、被保持物の形状などに応じた専用の小物保持具、例えば缶飲料水を収容するカップホルダー、鉛筆やペンなどを挿通して保持する保持具などを取り付けることが行われている。
【０００４】
このように、一般的な小物保持具は、保持される小物に応じた形状となっていた。
【０００５】
他方、自動車などの車内において、ペンや駐車券などの小物を、閉じたサンバイザーと車両天井部との間に挟んで保持しておくことがある。
【０００６】
しかし、サンバイザーは、元来物を挟んで保持することは想定されていないため、運転中や駐車中に小物が落ちてしまうことがあった。
【０００７】
また、サンバイザーを開いて本来の日除けとして機能させた場合は、小物保持具としては一切役に立つものではなかった。
【０００８】
そこで、小物を保持するため、サンバイザーにバンドを巻きつけ、バンドとサンバイザー間で小物を挟持可能としたサンバイザー用物挟みバンドが提案された（例えば、特許文献１参照。）。
【特許文献１】特開２００１―２７７９４６号公報
【発明の開示】
【発明が解決しようとする課題】
【０００９】
ところが、上記従来のサンバイザー用物挟みバンドでは、サンバイザーにバンドを巻きつけて小物を保持するようにしているものの、小物類の様々な形状に対応することができず、小物の形状によっては、安定して保持することができなかったり、あるいは、全く保持することができなかったりするという問題点があった。
【００１０】
また、近年のサンバイザーには、ミラーが取り付けられたものが多く、上述の物挟みバンドを巻きつけることによって、前記ミラーの使用が妨げられてしまうという問題点もあった。
【００１１】
本発明は、様々な形状の小物類に対応して安定保持できる小物保持具、車両用小物保持具、及び小物保持機能を有する車両用サンバイザーを提供することを目的としている。
【課題を解決するための手段】
【００１２】
そこで、請求項１記載の本発明では、伸縮自在の弾性保持帯を幅方向に多列状に配設した保持部材と、この保持部材を取付可能とした被取付部材とを備え、この被取付部材の面状部と前記弾性保持帯とで挟持部を構成したことを特徴とする小物保持具を提供することにした。
【００１３】
また、請求項２記載の本発明では、伸縮自在の弾性保持帯を幅方向に多列状に配設した保持部材を、車両内に配設された面状部を有する被取付部材に取付け、前記面状部と前記弾性保持帯とで挟持部を構成したことを特徴とする車両用小物保持具を提供することにした。
【００１４】
また、請求項３記載の本発明では、伸縮自在の弾性保持帯を幅方向に多列状に配設した保持部材を、車両用のサンバイザー本体に取付け、前記サンバイザー本体の表面及び／又は裏面と前記弾性保持帯とで挟持部を構成したことを特徴とする車両用サンバイザーを提供することにした。
【００１５】
また、請求項４記載の本発明では、前記保持部材は、前記弾性保持帯を略環状に形成し、各保持帯同士を互いに一体的に連結した。
【００１６】
また、請求項５記載の本発明では、前記サンバイザー本体の端部近傍面にミラー取付領域を設け、このミラー取付領域を除く他領域に前記保持部材を取り付けた。
【発明の効果】
【００１７】
（１）請求項１記載の本発明では、伸縮自在の弾性保持帯を幅方向に多列状に配設した保持部材と、この保持部材を取付可能とした被取付部材とを備え、この被取付部材の面状部と前記弾性保持帯とで挟持部を構成したので、様々な形状の小物を安定して保持することができる。さらに、様々な形状の被取付部材に容易に対応させて保持部材を取り付けることができる。
【００１８】
（２）請求項２記載の本発明では、伸縮自在の弾性保持帯を幅方向に多列状に配設した保持部材を、車両内に配設された面状部を有する被取付部材に取付け、前記面状部と前記弾性保持帯とで挟持部を構成したので、様々な形状の小物を、走行中の車両内においても安定して保持することができるとともに、必要に応じて取り出すことができる。さらに、様々な形状の被取付部材に容易に対応させて保持部材を取り付けることができる。
【００１９】
（３）請求項３記載の本発明では、伸縮自在の弾性保持帯を幅方向に多列状に配設した保持部材を、車両用のサンバイザー本体に取付け、前記サンバイザー本体の表面及び／又は裏面と前記弾性保持帯とで挟持部を構成したので、運転者が容易に手の届く位置にあるサンバイザー本体の表面や裏面に様々な形状の小物を安定して保持することができ、利便性が向上する。さらには、保持部材を、様々な形状のサンバイザー本体に容易に対応させて取り付けることができる。
【００２０】
（４）請求項４記載の本発明では、前記保持部材は、前記弾性保持帯を略環状に形成し、各保持帯同士を互いに一体的に連結したので、サンバイザー本体に取り付けやすく、しかも各弾性保持帯がずれてサンバイザー本体から外れ落ちてしまうことを防止することができる。
【００２１】
（５）請求項５記載の本発明では、前記サンバイザー本体の端部近傍面にミラー取付領域を設け、このミラー取付領域を除く他領域に前記保持部材を取り付けたので、サンバイザー本体のミラーの使用を妨げることなく、小物を保持することができる。
【発明を実施するための最良の形態】
【００２２】
本発明に係る小物保持具は、伸縮自在の弾性保持帯を幅方向に多列状に配設した保持部材と、この保持部材を取付可能とした被取付部材とを備え、この被取付部材の面状部と前記弾性保持帯とで挟持部を構成している。
【００２３】
前記弾性保持帯は、適宜幅で構わないが、このように、多列状に配設した弾性保持帯と被取付部材の面状部とで構成し挟持部により、様々な形状の小物を安定して保持できる。しかも、前記保持部材は、様々な形状の被取付部材に容易に対応させて保持部材を取り付けることができるので、面状部を有するものであれば、如何なる場所の様々な物に取り付けることで小物保持具として利用することができる。
【００２４】
例えば、上記保持部材を、自動車などの車両内に配設された面状部を有する被取付部材に取り付け、前記面状部と前記弾性保持帯とで挟持部を構成して、車両用小物保持具とすることができる。
【００２５】
このようにして、様々な形状の小物を、走行中の車内においても安定して保持することができるとともに、必要に応じて取り出すことができる。
【００２６】
また、上記保持部材を、車両用のサンバイザー本体に取り付け、前記サンバイザー本体の表面及び／又は裏面と前記弾性保持帯とで挟持部を構成して、小物保持機能を有する車両用サンバイザーとすることができる。
【００２７】
このような車両用サンバイザーでは、運転者が容易に手の届く位置にあるサンバイザー本体の表面や裏面に様々な形状の小物を安定して保持することができ、利便性を向上できる。
【００２８】
また、保持部材は、サンバイザー本体に予め取り付けておくこともできるし、様々な形状のサンバイザー本体に容易に対応させて取り付けることができるので、車種などに限定されることなく、いつでも後付けすることも可能である。
【００２９】
特に、前記保持部材は、前記弾性保持帯を略環状に形成し、各保持帯同士を互いに一体的に連結しておくことが好ましく、かかる構成により、保持部材をサンバイザー本体に取り付けやすくし、なおかつ各弾性保持帯がずれてサンバイザー本体から外れ落ちてしまうことを防止することができる。
【００３０】
さらには、前記サンバイザー本体の端部近傍面にミラー取付領域を設け、このミラー取付領域を除く他領域に前記保持部材を取り付けて、小物保持機能及びミラーを有する車両用サンバイザーとなすこともできるし、ミラーが予め設けられているサンバイザーに前記保持部材を後付けした場合でも、サンバイザー本体のミラーの使用を妨げることなく、小物を保持することができる。
【００３１】
以下、本発明の実施例について図面を参照しながら説明する。
【実施例１】
【００３２】
本実施例に係る小物保持機能を有する車両用サンバイザーＡは、図１及び図２に示すように、車両Ｂの車内天井部Ｃ前端に取り付けられている車両用のサンバイザー本体Ｓを被取付部材とし、同サンバイザー本体Ｓに、伸縮自在の弾性保持帯１を幅方向に多列状に配設した保持部材Ｋを装着し、前記サンバイザー本体Ｓの表面及び／又は裏面と前記多数の弾性保持帯１とで挟持部４を構成している。図中、Ｄはハンドル、Ｅはフロントガラス、Ｆはサイドガラス、Ｇはルームミラーである。
【００３３】
保持部材Ｋは、図３に示すように、例えば、ゴム製のバンドなどからなる伸縮自在の多数の弾性保持帯1,1,1・・・・を略環状に形成して、それぞれの弾性保持帯1,1,1・・・・をこの弾性保持帯１の幅方向に多列状に並べた状態で、線状又は紐状とした連結体2,2で互いに連結して一体に構成している。
【００３４】
このようにして、サンバイザー本体Ｓに、伸縮自在の弾性保持帯1,1,1・・・・を幅方向に多列状に配設した保持部材Ｋを取り付けることで、運転者が容易に手の届く位置にある前記サンバイザー本体Ｓの表面又は裏面あるいは両面と、前記弾性保持帯1,1,1・・・・との間に挟持部４を構成することができ、図示するように、この挟持部４に、例えば、棒状の小物であるペンＨや、比較的薄い小物であるカードＩや、比較的大きな小物である携帯電話Ｊなどの様々な形状の小物を、適宜数の弾性保持体1,1,1・・・・の挟圧により安定して保持することができる。したがって、様々な形状の小物を、走行中の車両Ｂ内においても安定して保持することができるとともに、必要に応じて取り出すことができる。
【００３５】
特に、見られたくない小物を保持する場合には、図２に示すように、サンバイザー本体Ｓの裏面と弾性保持帯1,1,1・・・・との間に形成する挟持部４に、小物を挟持するとともに、サンバイザー本体Ｓを閉じることによって、小物を人目から隠すことができる。
【００３６】
また、前述したように、伸縮自在に構成した保持部材Ｋの弾性保持帯1,1,1・・・・を連結体2,2で一体に連結することで、様々な形状のサンバイザー本体に対応させながら、かつ容易に取り付けることができる。しかも、並設させた弾性保持帯1,1,1・・・・がずれてサンバイザー本体Ｓから外れ落ちることを防止できる。
【００３７】
なお、連結体２を用いずに、弾性保持帯1,1,1・・・・のみを並列状に配置することで保持部材Ｋを構成することもできる。
【００３８】
また、本実施例では、サンバイザー本体Ｓの裏面の両端部近傍にミラー取付領域Ｗを形成し、同ミラー取付領域ＷにミラーＭを配設している。
【００３９】
そして、前記保持部材Ｋは、図１および図２に示すように、サンバイザー本体Ｓの裏面の両端部近傍面に設けたミラー取付領域Ｗを除く領域に取り付けて、サンバイザー本体ＳのミラーＭの使用を妨げることなく、小物を保持することができるようにしている。
【００４０】
すなわち、本実施例に係る小物保持機能を有する車両用サンバイザーＡは、サンバイザー本体Ｓの両端部近傍を除いた略全体に保持部材Ｋを取り付けて構成しているのである。
【００４１】
ここで、サンバイザー本体Ｓと保持部材Ｋとは、予め一体にしておくこともでき、また、車両に既設のサンバイザーに保持部材Ｋを後付けで取り付けることもできる。
【００４２】
次に、小物保持機能を有する車両用サンバイザーＡの他の実施例について、以下に説明する。なお、実施例２以降においては、上述してきた実施例１と構成を略同一としているため、図中、実施例１に示した部分に対応する部分には同じ番号を付してその説明を省略する。
【実施例２】
【００４３】
実施例２に係る車両用サンバイザーＡは、図４に示すように、保持部材Ｋの弾性保持帯1,1,1・・・・の左右幅を実施例１よりも細幅にして構成し、各弾性保持帯１の間に間隙ｔを形成している。
【００４４】
このように、保持部材Ｋの弾性保持帯1,1,1・・・・の左右幅を実施例１よりも細幅にして構成することで、弾性保持帯１とサンバイザー本体Ｓとの間に形成された各挟持部4,4,4・・・・間に間隙t,t,t・・・・を設けることができ、この間隙ｔから小物を挟持部４に容易に挿入して挟持することができる。
【００４５】
また、上記保持部材Ｋは、図５（ａ）（ｂ）に示すように、弾性保持帯1,1,1・・・・を、実施例１同様に連結体2,2でそれぞれ連結して構成することもできる。
【００４６】
すなわち、保持部材Ｋを弾性保持帯1,1,1・・・・の左右幅を実施例１よりも細幅にして構成するとともに、同弾性保持帯1,1,1・・・・を、実施例１同様に連結体2,2でそれぞれ連結することで、各弾性保持帯1,1,1・・・・がサンバイザー本体Ｓからずれて落ちてしまうことを防止しながら、各挟持体4,4,4・・・・間の間隙t,t,t・・・・から小物を挟持部４に容易に挟持することができる。
【実施例３】
【００４７】
実施例３に係る車両用サンバイザーは、図６に示すように、サンバイザー本体Ｓに取り付ける保持部材Ｋを一枚の伸縮自在の保持体10で構成するとともに、同保持体10に多数のスリット溝11を上下方向に形成して、各スリット溝11,11,11・・・・間を弾性保持帯1,1,1・・・・としている。
【００４８】
このようにして、一枚の保持体10に多数のスリット溝11を形成することで、保持部材Ｋを簡単に構成できるとともに、サンバイザー本体Ｓへの取り付けを容易にしている。さらには、各弾性保持帯1,1,1・・・・がサンバイザー本体Ｓからずれて落ちてしまうことを防止しながら、小物を安定して保持することができる。
【００４９】
なお、このスリット溝11は、保持体10を略筒状に形成し、サンバイザー本体Ｓに装着した状態でその表面側または裏面側、あるいは両面に形成できることはいうまでもない。
【００５０】
また、保持部材Ｋをサンバイザー本体Ｓに被覆した状態で予め一体形成しておくこともできる。
【実施例４】
【００５１】
実施例４に係る車両用サンバイザーＡは、図７（ａ）（ｂ）に示すように、１本の弾性保持帯１の両端部に環状の環状部12,12を形成とするとともに、同環状部12,12をサンバイザー本体Ｓの両端側に取り付けて固定する一方、環状部12,12間において弾性保持帯１をサンバイザー本体Ｓに螺旋状に巻回することによって、弾性保持帯１が幅方向に多列状に配設された保持部材Ｋを構成している。
【００５２】
このように、保持部材Ｋを１本の弾性保持帯１で構成することで、構成を簡略化できるとともに、保持部材Ｋを多数の弾性保持帯１を個別に配置する場合と比較して、弾性保持帯１がサンバイザー本体Ｓからずれて外れてしまうことを防止することができ、保持機能としても損なわれることがない。
【実施例５】
【００５３】
実施例５に係る車両用サンバイザーＡは、図８に示すように、弾性保持帯1,1,1・・・・・・の両端部にフック3,3,3・・・・・・を取り付けるとともに、同フック３をサンバイザー本体Ｓの上下端に係止させている。
【００５４】
このように、フック３をサンバイザー本体Ｓの上下端に係止させることで、保持部材Ｋをサンバイザー本体Ｓの表・裏面のいずれか一面にだけ、あるいは両面の所望の面に保持部材Ｋを形成することができる。
【００５５】
上述してきた各実施例に係る車両用サンバイザーＡは、図９に示すように、弾性保持帯1,1,1・・・・を透明にして構成することもできる。
【００５６】
弾性保持帯1,1,1・・・・を透明にして構成することで、挟持部４に小物を挟持させた際に、挟持された小物を外側から確認することができ、小物全体が弾性保持帯1,1,1の裏面に押し込まれた場合でも、保持されている小物を視認することができる。
【００５７】
また、図１０に示すように、保持部材Ｋの弾性保持帯1,1,1・・・・のそれぞれの左右幅（横幅）を実施例１や実施例２で説明したものよりも太幅にして構成してもよい。
【００５８】
このように、弾性保持帯1,1,1・・・・のそれぞれの左右幅を比較的太幅にすることで、弾性保持帯１個々における挟持部４の幅も大きくすることができ、比較的重量の大きい小物を挟持する場合でも、安定して保持することができる。
【００５９】
ところで、上述してきた保持部材Ｋは、サンバイザー本体Ｓのみならず、図１１に示すように、運転席ＬのヘッドレストＲや、図１２に示すように、車両ＢのグローブボックスＮなどの様々な箇所に取り付け、これらの面部と弾性保持帯１との間で挟持部を形成することで、車両用小物保持具として用いることができ、走行中の車両Ｂ内においても小物を安定して保持することができるとともに、必要に応じて取り出すことができる。
【００６０】
さらに、前記保持部材Ｋは、車内のみならず、様々な被取付部材に装着して小物保持具として用いることができる。例えば、図示しないが、洗面台やカバンなどの様々な箇所に取り付けて小物保持具として用いることができる。
【図面の簡単な説明】
【００６１】
【図１】実施例１に係る車両用サンバイザーを閉じた使用状態を示す説明図である。
【図２】同車両用サンバイザーを開いた使用状態を示す説明図である。
【図３】同車両用サンバイザーの保持部材の説明図である。
【図４】実施例２に係る車両用サンバイザーの説明図である。
【図５】同車両用サンバイザーの変形例を示す説明図である。
【図６】実施例３に係る車両用サンバイザーの説明図である。
【図７】実施例４に係る車両用サンバイザーの説明図である。
【図８】実施例５に係る車両用サンバイザーの説明図である。
【図９】車両用サンバイザーの変形例を示す説明図である。
【図１０】車両用サンバイザーの変形例を示す説明図である。
【図１１】車両用小物保持具をヘッドレストに適用した場合の説明図である。
【図１２】車両用小物保持具をグローブボックスに適用した場合の説明図である。
【符号の説明】
【００６２】
１  弾性保持帯
２  連結体
４  挟持部
Ａ  車両用サンバイザー
Ｂ  車両
Ｋ  保持部材、
Ｍ  ミラー
Ｒ  ヘッドレスト
Ｎ  グローブボックス
Ｓ  車両用のサンバイザー本体
Ｗ  ミラー取付領域
【図１】
2006123859.tif 000003
【図２】
2006123859.tif 000004
【図３】
2006123859.tif 000005
【図４】
2006123859.tif 000006
【図５】
2006123859.tif 000007
【図６】
2006123859.tif 000008
【図７】
2006123859.tif 000009
【図８】
2006123859.tif 000010
【図９】
2006123859.tif 000011
【図１０】
2006123859.tif 000012
【図１１】
2006123859.tif 000013
【図１２】
2006123859.tif 000014